(57)【要約】【課題】ランプ光束の低下を防止し、器具効率を向上させた効率の良い蛍光灯照明器具を提供する。【解決手段】直管形蛍光ランプ５を使用する照明器具において、直管形蛍光ランプ５のほぼ長手中央部付近に、照明器具に固定された金属製の放熱板６を設け、前記蛍光ランプ５管壁と当接させる。【選択図】　　図１
2004134330.tif 000002
【特許請求の範囲】
【請求項１】
直管形蛍光ランプを使用する照明器具において、直管形蛍光ランプのほぼ長手中央部付近に、照明器具に固定された金属製の放熱板を設け、前記蛍光ランプ管壁と当接させたことを特徴とする蛍光灯照明器具。
【請求項２】
コンパクト形蛍光ランプを使用する照明器具において、コンパクト形蛍光ランプの口金と反対側のほぼ先端付近に、照明器具に固定された金属製の放熱板を設け、前記蛍光ランプ管壁と当接させたことを特徴とする蛍光灯照明器具。
【請求項３】
環形蛍光ランプを使用する照明器具において、環形蛍光ランプの口金部のほぼ対角付近に、照明器具に固定された金属製の放熱板を設け、前記蛍光ランプ管壁と当接させたことを特徴とする蛍光灯照明器具。
【発明の詳細な説明】
【０００１】
【発明の属する技術分野】
本発明は蛍光灯ランプを使用する照明器具に関する。
【０００２】
【従来の技術】
従来の蛍光灯照明器具は一般的に、図６に示すような点灯装置を内蔵した器具本体と反射板と前記器具本体に固定されたランプソケットに装着された蛍光ランプで構成され、天井面に固定される。
一般的に蛍光ランプは図７に示すように、周囲温度２０℃のときに最適な特性になるように設計されており・その温度より高くても低くてもランプ光束や消費電力の低下やランプ短寿命の原因となる。
また、蛍光ランプの管壁温度は管端のフィラメント部は高温で長手中央部は最冷点となり、この温度差が大きい程、ランプ効率が向上するという特性がある。このように蛍光ランプを使用した従来の照明器具は、照明器具の形状や構造及び点灯装置や蛍光ランプの位置関係により、点灯装置や蛍光ランプの温度上昇が異なり、このためランプ光東や消費電力が変化する。
図８に示すような蛍光ランプの両側面を外郭で覆われ、また蛍光ランプ間に点灯装置が位置しているような照明器具の構造では、蛍光ランプの周囲温度が高くなり、このためランプ電流が増加し、その結果ランプ光束と消費電力が低下する。
さらに、ランプ電流が増加すると点灯装置の温度も上昇するため、蛍光ランプへの影響も増幅される。
【０００３】
【発明が解決しようとする課題】
前記照明器具は、照明器具の形状や構造及びランプと点灯装置の位置関係により、蛍光ランプの周囲温度や点灯装置の温度が上昇し、ランプ光束と消費電力が低下するため、規定の出力が出ないという問題があつた。
本発明の目的は、ランプ光束の低下を防止し、器具効率を向上させた効率の良い蛍光灯照明器具を提供することにある。
【０００４】
【課題を解決するための手段】
上記目的を達成するため、直管形蛍光ランプのほぼ長手中央部（管壁温度の最冷点）付近に、反射板に固定された金属製の放熱板を前記蛍光ランプ管壁と当接するように設けた。これにより、蛍光ランプの最冷点付近の熱を放熱板及び放熱板が固定された反射板に伝導、拡散させることにより、蛍光ランプ管壁の最冷点温度を低下させ、蛍光ランプの効率を向上させることができるため、ランプ光束の低下を防止し器具効率を向上させた効率の良い蛍光灯照明器具が提供できる。また、請求項２については、コンパクト形蛍光ランプ口金と反対側のほぼ先端（管壁温度の最冷点）付近に、照明器具に固定された金属製の放熱板を設け、前記蛍光ランプ管壁と当接するように設けた。
また、請求項３については、環形蛍光ランプ口金部のほぼ対角（管壁温度の最冷点）付近に、照明器具に固定された金属製の放熱板を設け、前記蛍光ランプ管壁と当接するように設けた。
【０００５】
【発明の実施の形態】
以下、本発明の実施形態を図面で説明する。図１〜図３は、直管形蛍光ランプを使用した蛍光灯照明器具の一実施例を示し、蛍光ランプ５の側面を覆うように形成された器具本体１に取付られたランプソケット３に前記蛍光ランプ５が装着される。前記器具本体１に固定された点灯装置４は、前記蛍光ランプ５の中間に位置し、器具本体１に係合固定された反射板２により覆われた構造となっている。このような構造の場合、前記蛍光ランプ５の周囲温度が高くなり、このためランプ電流が増加し、その結果ランプ光東と消費電力が低下し、規定の出力が出ないという問題が生ずる。
このため前記蛍光ランプ５の中央部付近に、金属製の放熱板６をランプ管壁外周と当接、保持するように設け、蛍光ランプ５の最冷点付近の熱を放熱板６及び放熱板が固定された器具本体１に伝導、拡散させることにより、蛍光ランプ５管壁の最冷点温度を低下させ、ランプ効率を向上させることができるため、ランプ光束の低下を防止し器具効率を向上させることができる。
本実施例では、放熱板６の先端を固定部より細くすることにより、放熱板６で遮断される光の損失を低減しており、また蛍光ランプ５外管を保持しているため、地震や振動による蛍光ランプ５の破損や脱落を防止した安全性も兼ね備えている。
図４は他の実施例であるコンパクト形蛍光ランプを使用した蛍光灯照明器具を示し、点灯装置４を内蔵する器具本体１と、それを覆う反射板２と器具本体１に固定されたランプソケット引こコンパクト形蛍光ランプ７を装着し構成されたものにおいて、コンパクト形蛍光ランプ７の口金部と反対側のランプ先端部の最冷点位置に金属製の放熱板６をランプ管壁外周と当接、保持するように設け、コンパクト形蛍光ランプ１０の管壁温度を放熱板及び放熱板が固定された器具本体１へ伝導、拡散することにより最冷点温度を低下させ、ランプ効率を向上させたものである。
図５は他の実施例である環形蛍光ランプを使用した蛍光灯照明器具を示し、点灯装置４を内蔵する器具本体１と、それを覆う反射板２と環形蛍光ランプ９を保持するランプホルダー８とセード１０で構成されたものにおいて、環形蛍光ランプ９の口金部と対向する最冷点位置に金属製の放熱板６をランプ管壁外周と当接、保持するように設け、環形蛍光ランプ９の最冷点付近の熱を放熱板６及び放熱板が固定された反射板２及び器具本体１に伝導、拡散させることにより最冷点温度を低下させ、ランプ効率を向上させたものである。
【０００６】
【発明の効果】
本発明によれば、蛍光ランプ管壁の最冷点温度を低下させ蛍光ランプの効率を向上させることができるため、ランプ光束の低下を防止し、器具効率を向上させた効率の良い蛍光灯照明器具が提供できる。
また、蛍光ランプの保持機能を共用できるため、耐振性、安全性の向上やコスト低減を図ることができる。
【図面の簡単な説明】
【図１】本発明器具断面図である。
【図２】その斜視図である。
【図３】その別の斜視図である。
【図４】本発明の他の実施例を示す斜視図。
【図５】本発明の他の実施例を示す斜視図である。
【図６】従来器具の断面図である。
【図７】蛍光ランプの周囲温度の影響による特性図である。
【図８】従来器具の別の断面図である。
【符号の説明】
１…器具本体，２…反射板，３…ランプソケット，４…点灯装置，５…直管形蛍光ランプ、６…放熱板，７…コンパクト形蛍光ランプ，８…ランプホルダー，９…環形蛍光ランプ、１０…セード
【図１】
2004134330.tif 000003
【図２】
2004134330.tif 000004
【図３】
2004134330.tif 000005
【図４】
2004134330.tif 000006
【図５】
2004134330.tif 000007
【図６】
2004134330.tif 000008
【図７】
2004134330.tif 000009
【図８】
2004134330.tif 000010